(57)【要約】      （修正有）【課題】ソケット台の構造が簡素であり、ソケットを迅速に位置決めすることができ、又はソケットを迅速に取り出すことができ、利用が極めて便利であるソケット台とそれを含むソケット置きコンポーネントを提供する。【解決手段】ソケットが組付け方向に沿って嵌合して位置決め可能であり、ソケットは少なくとも一つの位置決め穴を含み、ベース部１１と、柱と、少なくとも一つの凸部１３とを備え、柱は、組付け方向５１に沿って延びるようにベース部に設けられており、凸部は柱に設けられている第１部材１と、ソケットと嵌合することができ、第１部材に対して解放位置とロック位置とに旋回できるように、第１部材をカバーする第２部材２とを備える。【選択図】図１
0003225303.tif 000002
【実用新案登録請求の範囲】
【請求項１】
ソケットが組付け方向に沿って嵌合して位置決め可能であり、前記ソケットは少なくとも一つの位置決め穴を含み、
ベース部と、柱と、少なくとも一つの凸部と、を備え、前記柱は、前記組付け方向に沿って延びるように前記ベース部に設けられており、前記凸部は前記柱に設けられている第１部材と、
前記ソケットと嵌合することができ、前記第１部材に対して解放位置とロック位置とに旋回できるように、前記第１部材をカバーする第２部材と、を備えるソケット台において、
前記第２部材が前記解放位置に位置するときに、前記凸部は前記第２部材から突出せず、前記ソケットは、前記組付け方向に沿って前記ソケット台に対して移動することができ、
前記ソケットが前記第２部材と嵌合して前記第２部材が前記ロック位置に位置するときに、前記凸部の一部は、前記組付け方向の横方向に沿って前記第２部材から突出し、前記位置決め穴と嵌合して、前記ソケットが前記ソケット台に位置決めされることを特徴とする、
ソケット台。
【請求項２】
前記第２部材は、前記柱に位置決めされ、前記柱を軸として回転可能であることを特徴とする、請求項１に記載のソケット台。
【請求項３】
位置決め機構を備え、前記位置決め機構は、第１位置決め部と、二つの第２位置決め部と、を備え、前記第１位置決め部と前記二つの第２位置決め部のうちの一方とは、前記第１部材に設けられており、前記二つの第２位置決め部のうちの他方は前記第２部材に設けられており、前記第２部材が前記解放位置に位置するときに、前記第１位置決め部は一方の前記第２位置決め部と結合し、前記第２部材が前記ロック位置に位置するときに、前記第１位置決め部は他方の前記第２位置決め部と結合することを特徴とする、請求項１に記載のソケット台。
【請求項４】
前記第１位置決め部は凸部材であり、前記各第２位置決め部は凹部であり、前記第１位置決め部と前記各第２位置決め部とは、嵌合方式により、互いに結合して位置決めされることを特徴とする、請求項３に記載のソケット台。
【請求項５】
前記第２部材は、前記ソケットに差し込み可能な差込部を備え、前記差込部は、内部空間を囲み、少なくとも一つの通過口が設けられており、前記通過口の開口の方向は、前記組付け方向の横を向き、前記柱は、前記組付け方向に沿って前記内部空間に差し込まれ、前記凸部の一部は、選択的に前記通過口から突出し、前記第２部材が前記解放位置に位置するときに、前記凸部は前記通過口から突出せず、前記第２部材が前記ロック位置に位置するときに、前記凸部は前記通過口から突出することを特徴とする、請求項１に記載のソケット台。
【請求項６】
前記位置決め穴、前記凸部および前記通過口の数量は、二つあり、前記二つの凸部は、それぞれ前記柱の両側に設けられており、前記二つの通過口は、それぞれ前記差込部の両側に設けられており、前記組付け方向に沿って見た場合、前記二つの凸部の最も遠い直線距離は、前記二つの通過口の直線距離より大きく、前記二つの通過口の対角距離より小さいことを特徴とする、請求項５に記載のソケット台。
【請求項７】
前記第２部材の前記ロック位置から前記解放位置に移動するときの回転方向を第１方向とし、前記組付け方向に沿って見た場合、前記各凸部は、前記柱を軸として、ほぼ前記第１方向に沿って傾斜して、高位部と低位部とが形成されていることを特徴とする、請求項６に記載のソケット台。
【請求項８】
前記第２部材は、前記柱に位置決めされ、前記柱を軸として回転し、前記ソケット台は、更に、位置決め機構を備え、前記位置決め機構は、第１位置決め部と、二つの第２位置決め部と、を備え、前記第１位置決め部と前記二つの第２位置決め部のうちの一方とは、前記第１部材に設けられており、前記二つの第２位置決め部のうちの他方は前記第２部材に設けられており、前記第２部材が前記解放位置に位置するときに、前記第１位置決め部は一方の前記第２位置決め部と結合し、前記第２部材が前記ロック位置に位置するときに、前記第１位置決め部は他方の前記第２位置決め部と結合し、前記第１位置決め部は凸部材であり、前記各第２位置決め部は凹部であり、前記第１位置決め部と前記各第２位置決め部とは、嵌合方式により、互いに結合して位置決めされ、前記第１部材は、更に、環状壁と、二つの翼部と、を備え、前記二つの翼部は、横方向に沿って前記ベース部の両側から延び、品物と嵌合してスライドすることが可能であり、前記環状壁は、前記ベース部に設けられており、前記柱を軸として前記柱を囲み、前記第１位置決め部は前記環状壁に設けられており、前記ベース部と前記二つの翼部とは、ほぼ「凸」字形を呈し、前記第２部材は、更に、ほぼ円盤状を呈するカバー部を備え、前記差込部は前記カバー部に設けられており、前記カバー部には、前記内部空間と連通する差込穴が設けられており、前記差込穴は前記カバー部を貫通し、前記柱は、前記差込穴を挿通して前記内部空間に進入し、前記カバー部は、前記環状壁をカバーするためのものであり、前記カバー部の径方向の寸法は、前記環状壁の径方向の寸法より大きく、前記カバー部には、前記二つの第２位置決め部が設けられており、前記差込部は角柱状を呈し、前記差込部の天壁に係合部が設けられており、前記柱の端面に嵌合部が設けられており、前記係合部は、前記嵌合部に回転可能に嵌めて設けられており、前記嵌合部に位置決めされることを特徴とする、請求項７に記載のソケット台。
【請求項９】
請求項１から７のいずれか一項に記載のソケット台を少なくとも一つ備え、
スライド通路を有する本体を備え、
前記第１部材は前記スライド通路をスライド可能であることを特徴とする、
ソケット置きコンポーネント。
【請求項１０】
前記本体は、少なくとも一つの吊り部材を備え、前記吊り部材は、ロッドに掛けることができることを特徴とする、請求項９に記載のソケット置きコンポーネント。
【考案の詳細な説明】
【技術分野】
【０００１】
本考案は、ソケットを収納する装置に関し、特に、ソケット台とそれを含むソケット置きコンポーネントに関するものである。
【背景技術】
【０００２】
ファスナー（例えば、ネジやナット）は、異なる使用環境に応じて、寸法および形が異なる。手工具によりファスナーを締結しようとする場合には、ソケットを利用することが一般的である。ファスナーには様々な種類があるため、ソケットの仕様も色々ある。
【０００３】
しかし、ソケットの種類および数量が増えることによって、ソケットの収納が問題となっている。床面や卓上にソケットを任意に放置すると、ソケットは外力によって倒れたり、別の箇所に転動する可能性がある。
【考案の概要】
【考案が解決しようとする課題】
【０００４】
本考案の主な目的は、第２部材を第１部材に対して回転することにより、ソケット台をロック位置または解放位置に迅速に切り替えることができるため、ソケットを確実に位置決めすることができ、不意な衝突を回避でき、ソケット置きコンポーネントをロッドに掛けることができるため、ソケットの収納および探し出しが便利となるソケット台とそれを含むソケット置きコンポーネントを提供することにある。
【課題を解決するための手段】
【０００５】
本考案に係るソケット台は、ソケットが組付け方向に沿って嵌合して位置決め可能であり、ソケットは少なくとも一つの位置決め穴を含み、ベース部と、柱と、少なくとも一つの凸部と、を備え、柱は、組付け方向に沿って延びるようにベース部に設けられており、凸部は柱に設けられている第１部材と、ソケットと嵌合することができ、第１部材に対して解放位置とロック位置とに旋回できるように、第１部材をカバーする第２部材と、を備えるソケット台において、第２部材が解放位置に位置するときに、凸部は第２部材から突出せず、ソケットは、組付け方向に沿ってソケット台に対して移動することができ、ソケットが第２部材と嵌合して第２部材がロック位置に位置するときに、凸部の一部は、組付け方向の横方向に沿って第２部材から突出し、位置決め穴と嵌合して、ソケットがソケット台に位置決めされることを特徴とする。
【０００６】
本考案に係るソケット台は、第２部材は、柱に位置決めされ、柱を軸として回転することが可能であることを特徴とする。
【０００７】
本考案に係るソケット台は、更に、位置決め機構を備え、位置決め機構は、第１位置決め部と、二つの第２位置決め部と、を備え、第１位置決め部と二つの第２位置決め部のうちの一方とは、第１部材に設けられており、二つの第２位置決め部のうちの他方は第２部材に設けられており、第２部材が解放位置に位置するときに、第１位置決め部は一方の第２位置決め部と結合し、第２部材がロック位置に位置するときに、第１位置決め部は他方の第２位置決め部と結合することを特徴とする。
【０００８】
本考案に係るソケット台は、第１位置決め部は凸部材であり、各第２位置決め部は凹部であり、第１位置決め部と各第２位置決め部とは、嵌合方式により、互いに結合して位置決めされることを特徴とする。
【０００９】
本考案に係るソケット台は、第２部材は、ソケットに差し込み可能な差込部を備え、差込部は、内部空間を囲み、少なくとも一つの通過口が設けられており、通過口の開口の方向は、組付け方向の横を向き、柱は、組付け方向に沿って内部空間に差し込まれ、凸部の一部は、選択的に通過口から突出し、第２部材が解放位置に位置するときに、凸部は通過口から突出せず、第２部材がロック位置に位置するときに、凸部は通過口から突出することを特徴とする。
【００１０】
本考案に係るソケット台は、位置決め穴、凸部および通過口の数量は、二つあり、二つの凸部は、それぞれ柱の両側に設けられており、二つの通過口は、それぞれ差込部の両側に設けられており、組付け方向に沿って見た場合、二つの凸部の最も遠い直線距離は、二つの通過口の直線距離より大きく、二つの通過口の対角距離より小さいことを特徴とする。
【００１１】
本考案に係るソケット台は、第２部材のロック位置から解放位置に移動するときの回転方向を第１方向とし、組付け方向に沿って見た場合、各凸部は、柱を軸として、ほぼ第１方向に沿って傾斜して、高位部と低位部とが形成されていることを特徴とする。
【００１２】
本考案に係るソケット台は、第２部材は、柱に位置決めされ、柱を軸として回転し、ソケット台は、更に、位置決め機構を備え、位置決め機構は、第１位置決め部と、二つの第２位置決め部と、を備え、第１位置決め部と二つの第２位置決め部のうちの一方とは、第１部材に設けられており、二つの第２位置決め部のうちの他方は第２部材に設けられており、第２部材が解放位置に位置するときに、第１位置決め部は一方の第２位置決め部と結合し、第２部材がロック位置に位置するときに、第１位置決め部は他方の第２位置決め部と結合し、第１位置決め部は凸部材であり、各第２位置決め部は凹部であり、第１位置決め部と各第２位置決め部とは、嵌合方式により、互いに結合して位置決めされ、第１部材は、更に、環状壁と、二つの翼部と、を備え、二つの翼部は、横方向に沿ってベース部の両側から延び、品物と嵌合してスライドすることが可能であり、環状壁は、ベース部に設けられており、柱を軸として柱を囲み、第１位置決め部は環状壁に設けられており、ベース部と二つの翼部とは、ほぼ「凸」字形を呈し、第２部材は、更に、ほぼ円盤状を呈するカバー部を備え、差込部はカバー部に設けられており、カバー部には、内部空間と連通する差込穴が設けられており、差込穴はカバー部を貫通し、柱は、差込穴を挿通して内部空間に進入し、カバー部は、環状壁をカバーするためのものであり、カバー部の径方向の寸法は、環状壁の径方向の寸法より大きく、カバー部には、二つの第２位置決め部が設けられており、差込部は角柱状を呈し、差込部の天壁に係合部が設けられており、柱の端面に嵌合部が設けられており、係合部は、嵌合部に回転可能に嵌め設けられており、嵌合部に位置決めされることを特徴とする。
【００１３】
本考案に係るソケット置きコンポーネントは、請求項１から７のいずれか一項に記載のソケット台を少なくとも一つ備え、更に、スライド通路を有する本体を備え、第１部材はスライド通路をスライドすることが可能であることを特徴とする。
【００１４】
本考案に係るソケット置きコンポーネントは、本体は、更に、少なくとも一つの吊り部材を備え、吊り部材は、ロッドに掛けることができることを特徴とする。
【考案の効果】
【００１５】
本考案に係るソケット台とそれを含むソケット置きコンポーネントには、次のような効果がある。
（１）ソケット台の構造が簡素であり、ユーザーが、第２部材を回転するだけで、解放位置またはロック位置に切り替えることができ、ソケットを迅速に位置決めすることができ、又はソケットを迅速に取り出すことができるため、利用が極めて便利である。
【００１６】
（２）第１部材が、ソケット置きコンポーネントの本体にスライド可能に設けられているため、ロックされたソケットの寸法によって、距離を適当に調整することができる。
【００１７】
（３）本体に、更に吊り部材が設けられているため、目立つ場所に掛けて、収納や販売をすることができる。
【図面の簡単な説明】
【００１８】
【図１】本考案の一実施形態に係るソケット台を示す分解斜視図である。
【図２】本考案の一実施形態に係る第２部材がロック位置に位置する状態を示す一部を切り欠いた上面断面図である。
【図３】本考案の一実施形態に係る第２部材がロック位置に位置する状態を示す側面断面図である。
【図４】本考案の一実施形態に係る第２部材が解放位置に位置する状態を示す一部を切り欠いた上面断面図である。
【図５】本考案の一実施形態に係る第２部材が解放位置に位置する状態を示す側面断面図である。
【図６】本考案の一実施形態に係るソケット置きコンポーネントを示す分解斜視図である。
【図７】本考案の一実施形態に係るソケット置きコンポーネントを示す斜視図である。
【図８】本考案の一実施形態に係るソケット置きコンポーネントを示す縦断面図である。
【図９】本考案の一実施形態に係るソケット置きコンポーネントを示す横断面図である。
【考案を実施するための形態】
【００１９】
以下、本考案の実施の形態を図面に基づいて説明する。
【００２０】
図１から図９を参照する。本考案の一実施形態に係るソケット台は、ソケット６が組付け方向５１に沿って嵌合して位置決め可能である。ソケット６は少なくとも一つの位置決め穴６１を含む。ソケット台は、第１部材１と、第２部材２と、を備える。
【００２１】
具体的には、第１部材１は、ベース部１１と、柱１２と、少なくとも一つの凸部１３と、を備える。柱１２は、組付け方向５１に沿って延びるようにベース部１１に設けられている。凸部１３は柱１２に設けられている。第２部材２は、ソケット６と嵌合することができ、第１部材１に対して解放位置とロック位置とに旋回できるように、第１部材１をカバーする。
【００２２】
より具体的には、第２部材２が前記解放位置に位置するときに、凸部１３は第２部材２から突出せず、ソケット６は、組付け方向５１に沿って前記ソケット台に対して移動する（例えば、嵌合し、又は抜き出す）ことができる。
ソケット６が第２部材２と嵌合して第２部材２が前記ロック位置に位置するときに、凸部１３の一部は、組付け方向５１の横方向に沿って第２部材２から突出し、位置決め穴６１と嵌合して、ソケット６が前記ソケット台に位置決めされて抜き出すことができない。このため、前記ソケット台を品物に組付けられると、前記ソケット台は、ソケット６と品物とを有効に連結することができる。これにより、ソケット６が品物に確実に位置決めされ、外力を受けても任意に移動することができない。
【００２３】
前記ソケット台は、更に、位置決め機構３を備える。位置決め機構３は、第１位置決め部３１と、二つの第２位置決め部３２と、を備える。第１位置決め部３１と二つの第２位置決め部３２のうちの一方は、第１部材１に設けられている。二つの第２位置決め部３２のうちの他方は第２部材２に設けられている。
第２部材２が前記解放位置に位置するときに、第１位置決め部３１は一方の第２位置決め部３２と結合する。第２部材２が前記ロック位置に位置するときに、第１位置決め部３１は他方の第２位置決め部３２と結合する。位置決め機構３により、第１部材１と第２部材２との相対位置の関係を確保することができる。これにより、作動の信頼度および安定性が向上する。本実施形態では、第１位置決め部３１が凸部材であり、各第２位置決め部３２が凹部である。第１位置決め部３１と各第２位置決め部３２とは、嵌合方式により、結合して位置決めされる。ユーザーは、第２部材２を回転するだけで、第１位置決め部３１が駆動されて二つの第２位置決め部３２のうちの一方と嵌合することができる。
【００２４】
また、第２部材２は、ソケット６に差し込み可能な差込部２１を備える。差込部２１は、内部空間２３を囲み、少なくとも一つの通過口２４が設けられている。通過口２４の開口の方向は、組付け方向５１の横を向く。柱１２は、組付け方向５１に沿って内部空間２３に差し込まれる。凸部１３の一部は、選択的に通過口２４から突出する。第２部材２が前記解放位置に位置するときに、凸部１３は通過口２４から突出せず、第２部材２が前記ロック位置に位置するときに、凸部１３は通過口２４から突出する。
【００２５】
また、差込部２１は、角柱状を呈する柱１２であり、サイド方向に沿ってソケット６の内壁に押し付けることにより、結合度が向上する。位置決め穴６１、凸部１３及び通過口２４の数量は、二つある。二つの凸部１３は、それぞれ柱１２の両側に設けられている。二つの通過口２４は、それぞれ、差込部２１の両側に設けられており、二つの凸部１３に対応する。
【００２６】
組付け方向５１に沿って見た場合、二つの凸部１３の最も遠い直線距離は、二つの通過口２４の直線距離より大きいため、第２部材２が回転して二つの凸部１３がそれぞれ二つの通過口２４の開口の中央にある前記ロック位置に位置するときに、各凸部１３は、通過口２４から突出して位置決め穴６１に嵌め込むことにより、ソケット６をロックする目的を達成できる。
そして、二つの凸部１３の最も遠い直線距離は、二つの通過口２４の対角距離より小さいため、第２部材２が回転して、二つの凸部１３がそれぞれ二つの通過口２４の対角線方向にある前記解放位置に位置するときに、二つの凸部１３は二つの通過口２４から突出しないため、第２部材２からソケット６を自由に抜き出すことができる。このため、二つの凸部１３の間の距離と、二つの通過口２４の間の距離とをコントロールして、第２部材２を回転する方式により、ソケット６を迅速にロックし、又は解放することが可能なため、操作が極めて便利且つ分かりやすくなる。
【００２７】
特に、第２部材２の前記ロック位置から前記解放位置に移動するときの回転方向を第１方向５２とする。組付け方向５１に沿って見た場合、各凸部１３は、柱１２を軸として、ほぼ第１方向５２に沿って傾斜して、高位部１３１と低位部１３２とが形成されている。また、第２部材２が前記ロック位置に位置するときに、高位部１３１が十分な長さで位置決め穴６１に嵌め込むことにより、係止して位置決めされる効果を得ることができる。なお、低位部１３２の設計により、第２部材２は、前記解放位置に位置するときに、通過口２４から突出することがない。
【００２８】
第２部材２の回転および迅速な組付けを便利にするために、第２部材２は、柱１２に位置決めされ、且つ柱１２を軸として回転することが好ましい。差込部２１の天壁２１１に係合部２２が設けられている。柱１２の端面１２１に嵌合部１２２が設けられている。係合部２２は、嵌合部１２２に回転可能に嵌め設けられており、嵌合部１２２に位置決めされる。もちろん、結合方式はこれに限定されない。
【００２９】
次に、第１部材１及び第２部材２の構造について、詳細に説明する。第１部材１は、更に、環状壁１４と、二つの翼部１５と、を備える。二つの翼部１５は、横方向に沿ってベース部１１の両側から延び、品物と嵌合してスライドすることが可能である。すなわち、ベース部１１と二つの翼部１５とは、ほぼ「凸」字形を呈する。そして、環状壁１４は、ベース部１１に設けられており、柱１２を軸として柱１２を囲む。第１位置決め部３１は環状壁１４に設けられている。
【００３０】
第２部材２は、更に、ほぼ円盤状を呈するカバー部２５を備える。差込部２１はカバー部２５に設けられている。カバー部２５には、内部空間２３と連通する差込穴が設けられており、差込穴２５１はカバー部２５を貫通する。
柱１２は、差込穴２５１を挿通して内部空間２３に進入する。カバー部２５は、環状壁１４をカバーするためのものである。カバー部２５の径方向の寸法は、環状壁１４の径方向の寸法より大きい。カバー部２５には、二つの第２位置決め部３２が設けられている。
【００３１】
本考案に係るソケット置きコンポーネントは、例えば、上記の少なくとも一つの前記ソケット台を備え、更に、本体４を備える。
【００３２】
本体４は、スライド通路４１を備える。第１部材１は、スライド通路４１にスライド可能に設けられている。より詳細には、二つの翼部１５がスライド通路４１にスライド可能に嵌め設けられているため、前記ソケット置きコンポーネントに前記ソケット台が複数設けられている場合に、ユーザーは、前記各ソケット台に位置決めされたソケット６の寸法によって、隣接する前記ソケット台同士の間の距離を調整することができる。
【００３３】
本体４は、更に、少なくとも一つの吊り部材４２を備えることが好ましい。吊り部材４２は、ロッドに掛けることができる。このように、空間を有効に利用することができ、売店の目立つ位置にこれを掛けることにより、消費者の注意を呼ぶことができる。本実施形態では、吊り部材４２の数量は二つあり、各吊り部材４２がスライド通路４１に差し込まれて本体４と連結する。各吊り部材４２により、前記各ソケット台のスライド通路４１からの脱出を防止することができる。
【００３４】
上記では、種々の実施の形態および変形例を説明したが、本考案はこれらの内容に限定されるものではない。本考案の技術的思想の範囲内で考えられるその他の態様も本考案の範囲内に含まれる。
【符号の説明】
【００３５】
１  第１部材
２  第２部材
３  位置決め機構
４  本体
６  ソケット
１１  ベース部
１２  柱
１３  凸部
１４  環状壁
１５  翼部
２１  差込部
２２  係合部
２３  内部空間
２４  通過口
２５  カバー部
３１  第１位置決め部
３２  第２位置決め部
４１  スライド通路
４２  吊り部材
５１  組付け方向
５２  第１方向
６１  位置決め穴
１２１  端面
１２２  嵌合部
１３１  高位部
１３２  低位部
２１１  天壁
２５１  差込穴
【図１】
0003225303.tif 000003
【図２】
0003225303.tif 000004
【図３】
0003225303.tif 000005
【図４】
0003225303.tif 000006
【図５】
0003225303.tif 000007
【図６】
0003225303.tif 000008
【図７】
0003225303.tif 000009
【図８】
0003225303.tif 000010
【図９】
0003225303.tif 000011